(57)【要約】【課題】  どのような箇所、例えば施工区間の端部であっても幅調整用のフトン篭を配設可能とする。【解決手段】  外周の一端が開放された本体篭１０と、この本体篭の幅を延長調整するための調整網２０とから構成する。本体篭は、底網１１と、底網の短辺に配した二枚の幅網１２と、側網に平行に配した一以上の仕切網１４と、底網の長辺の一方の端部に配した側網１５とを備える。調整網は、底網２１と、底網の短辺に配した二枚の幅網２２と、幅網に平行に配した一以上の仕切網２４とによって構成する。本体網１０の端部にも調整網２０の端部にも、底網１１／２１の残余がないため、施工区間の端部にも設置可能となる。【選択図】    図１
2005060991.tif 000002
【特許請求の範囲】
【請求項１】
外周の一端が開放された本体篭と、
この本体篭の幅を延長調整するための調整網とからなり、
前記本体篭は、
底網と、底網の短辺に配した二枚の幅網と、当該側網に平行に配した一以上の仕切網と、前記底網の長辺の一方の端部に配した側網とを備え、
前記調整網は、
底網と、底網の短辺に配した二枚の幅網と、当該幅網に平行に配した一以上の仕切網とによって構成することを特徴とする幅調整用のフトン篭。
【請求項２】
本体篭の仕切網と調整網の仕切網は、幅網からの離隔距離を略同一とすることを特徴とする請求項１記載の幅調整用のフトン篭。
【請求項３】
本体篭および調整網の幅網と仕切網の短辺の寸法は、それぞれ底網の短辺の寸法に揃えることを特徴とする請求項１または請求項２記載の幅調整用のフトン篭。
【発明の詳細な説明】
【技術分野】
【０００１】
本発明は、フトン篭を用いた各種の土木工事において、施工領域の幅を適宜調整するための技術に係り、とくに幅調整用のフトン篭の構造に関する。
【背景技術】
【０００２】
河川の堤防法面、海洋に構築する潜堤、谷地の土留工事等の各種工事に用いるフトン篭は、平面略長方形を呈しており、その寸法は規格化されている。このため、直線の工事区間にフトン篭を並べる場合や、湾曲した河川の護岸のためにフトン篭を並べる場合に、幅の調整が必要となることが多い。直線区間では単純に横幅の調整が必要となり、湾曲部分では平面略長方形のフトン篭をカーブさせる際に生ずる隙間を解消する必要があるからである。
【０００３】
このような幅調整を可能とするフトン篭は従来からいくつか提案されている。例えば、特許第２９５５７００号の発明は、図２に示すように、底網１の短辺に配する二枚の側網２と、この側網２に平行に配する仕切網３とを、それぞれ二枚のパネルで構成し、各パネルを重ね合わせることによって幅調整を行う旨を開示している。この構造では、側網２と仕切網３の幅調整は容易であるから、直線区間にしろ湾曲区間にしろ、施工領域の幅調整の作業性は良い。６は側網である。
【０００４】
また、特開平５−１７９６２７号公報記載の発明は、図３に示すように、外周の一端部が開放された調整篭４と、外周全体を側網６で囲った箱形篭７によって調整用のフトン篭を構成する旨が開示されている。２は側網、３は仕切網である。この構造でも、箱形篭７の位置を調整することで、直線区間や湾曲区間の幅調整に対応することが出来る。
【０００５】
ところで、フトン篭を現場に布設するときには、このような幅調整用のフトン篭と、基本フトン篭とを併用する。具体的には、例えば図４に示すように、基本フトン篭８の間に幅調整用のフトン篭９を配置する。
【０００６】
従来の幅調整用のフトン篭９は、仕切網３の長手方向の寸法が、底網１の幅寸法よりも短い。仕切網３の寸法を調整するタイプ（図２）のものでは、現場の施工時に底網１の端部が余る状態となるし、仕切網３を予め底網１の幅寸法よりも短く設計するタイプ（図３）では、底網１の端部が常に一定の幅で余ることになる（符号Ｚで示す部分）。この結果、底網１の端部が余った側に基本フトン篭８を配設するときは、基本フトン篭８の側網８−１を、幅調整用のフトン篭９の側網６と連結するとともに、幅調整用のフトン篭９の底網１とも連結し、さらに基本フトン篭８の側網８−１と幅調整用のフトン篭９の底網１を連結させる。連結機材は、公知のコイル（スパイラル材）を使用する。
【特許文献１】特許第２９５５７００号
【特許文献２】特開平５−１７９６２７号
【発明の開示】
【発明が解決しようとする課題】
【０００７】
問題は、幅調整用のフトン篭（９）の端部に必ず底網（１）の残余部分が生ずる点にある。底網（１）の残余は、隣に基本フトン篭（８）を敷設する場合には問題はない。しかし、底網（１）の残余部分があるため施工区間の端部には使用することが出来ず、幅調整用のフトン篭（９）を基本フトン篭（８）に挟んだ状態で敷設することが必要となるため、現場での作業効率を阻害しやすい。
【０００８】
なぜなら、フトン篭は隙間なく敷設する必要がある一方で、基本フトン篭（８）の寸法にも若干の違いはあるため、寸法計算通りの並べ方では、施工区間の端部において寸法の狂いが生ずることがあるからである。このような場合、従来の幅調整用のフトン篭（８）では、幅寸法を調整するために隣接する基本フトン篭（８）を暫時移動させる等の煩わしい作業が生ずる。
【０００９】
そこで、本発明の目的は、幅調整用のフトン篭を施工区間の端部に配設可能とする点にある。
【課題を解決するための手段】
【００１０】
前記目的を達成するため、本発明に係る幅調整用のフトン篭は、外周の一端が開放された本体篭と、この本体篭の幅を延長調整するための調整網とから構成し、前記本体篭は、底網と、底網の短辺に配した二枚の幅網と、当該側網に平行に配した一以上の仕切網と、前記底網の長辺の一方の端部に配した側網とを備え、前記調整網は、底網と、底網の短辺に配した二枚の幅網と、当該幅網に平行に配した一以上の仕切網とによって構成する（請求項１）。
【００１１】
本体篭の仕切網と調整網の仕切網は、幅網からの離隔距離を略同一とする場合がある（請求項２）。本体篭および調整網の幅網と仕切網の短辺の寸法は、それぞれ底網の短辺の寸法に揃える場合がある（請求項３）。
【００１２】
請求項１に係るフトン篭は、底網と幅網／仕切網を有する調整網を用いて、側網を有する本体篭の幅を任意に調整可能とする。調整網は、底網を備えるので、幅網／仕切網の一端を底網の端縁に揃えておけば、底網に残余部分が生ずることはない。従って、幅調整用のフトン篭を施工区間の端部に配設することが可能となる。また、本体篭の幅網／仕切網の端部を、本体篭の底網の端縁に揃えておけば、本体篭を施工区間の端部に独立して配設することも出来る。
【００１３】
請求項２に係るフトン篭は、本体篭と調整網の仕切網を略同一のピッチで配設するものである。これによって調整網を本体篭に組み込んだときに、仕切網同士が連続的な一体パネル状を呈して両者の接続を容易とする。なお、幅網は底網の外周端縁に配設されるため、幅網の位置は底網の大きさによって自動的に規定される。
【００１４】
請求項３に係るフトン篭は、本体篭と調整網の幅網／仕切網の短辺の寸法を、それぞれの底網の幅寸法と一致させ、フトン篭の強度を高める。底網の端部に残余の部分が生じないようにするためには、幅網／仕切網の一端を底網の一端縁に揃えておけば十分であるが、幅網／仕切網と側網との間に隙間があると、例えば河川で使用する場合等において、氾濫時の流水によって中詰石が移動するなど、構造的に弱い場合がある。請求項３のように、幅網／仕切網の両端を底網の幅寸法に揃えておけば、幅網／仕切網の端部は、自身の側網と隣接するフトン篭の側網に容易に固定できるため強度を高く保証することが出来る。
【発明の効果】
【００１５】
本発明に係る幅調整用のフトン篭によれば、底網の端部に不必要な残余部分が生じないため、どのような箇所、例えば施工区間の端部であっても幅調整用のフトン篭を配設することが出来る。またこれに伴って、輸送の積み込み時や現場への搬入時における、基本フトン篭と幅調整用フトン篭の取り扱いの煩雑が軽減される。
【発明を実施するための最良の形態】
【００１６】
図１は、本発明に係る幅調整用のフトン篭を例示するものである。このフトン篭は、本体篭１０と調整網２０とからなり、調整網２０によって本体篭１０の幅を延長調整するようになっている。
【００１７】
具体的には、本体篭１０は、底網１１と、底網１１の短辺縁部に配した二枚の幅網１２と、幅網１２に平行に配した一以上の仕切網１４と備え、底網１１の長辺の一方の端部に側網１５を配してある。この本体篭１０は、底網１１の外周の三辺に幅網１２と側網１５を備えており、通常は、底網１１の長辺の一端部を解放しておき、この解放部を利用して、調整網２０を配設し位置調整を行うようになっている。
【００１８】
一方の、調整網２０は、底網２１と、底網２１の短辺縁部に配した二枚の幅網２２と、幅網２２に平行に配した一以上の仕切網２４とによって構成する。調整網２０の底網は、本体篭１０の底網１１より小さくても構わない。図１では、調整網２０の底網を、本体篭１０の底網１１と略同一の大きさに成形する場合を例示した。
【００１９】
また、この実施形態では、本体篭１０の仕切網１４と、調整網２０の仕切網２４の配設ピッチ（幅網１２／２２からの離隔距離）を略同一として、調整篭２０を本体篭１０に装填したときに、仕切網１４／２４が隙間なく重ね合わせることが出来るようにしておく。仕切網１４／２４は、現場搬入前に底網１１／２１にコイルを用いて予め固定しておいても良いが、いずれか一方は現場において底網１１（２１）に固定しても良い。
【００２０】
このフトン篭は、調整網２０を用いて本体篭１０の幅調整を可能とすれば良いので、幅網１２／２２と仕切網１４／２４の長手方向の寸法は、とくに限定されない。少なくとも、調整網２０の幅網２２と仕切網２４の端部が、底網２１の外側の長辺と整列するように配置しておけば、調整網２０の底網２１に残余部分は生じないからである。
【００２１】
しかしながら、好ましくは、この実施形態に示すように、幅網１２／２２と仕切網１４／２４の長手方向の寸法は、底網１１／２１の短辺の寸法に揃える。本体篭１０の幅網１２と仕切網１４の両端縁を底網１１の端縁に揃えることにより、側網１５との連結が容易となり、また調整網２０による整幅幅を拡大することが出来るからである。また、調整網２０の幅網２２と仕切網２４の短辺寸法を、底網２１の短辺寸法に揃えることにより、より小さな底網面積で最大の幅延長の寸法を稼ぐことが出来るからである。
【００２２】
本体篭１０と調整網２０の短辺方向の寸法は限定されないが、好ましくは、最大の幅延長時に、現場で最も数多く使用する基本フトン篭の短辺寸法と略同一の寸法となるように設計しておく。施工現場における幅調整は、基本フトン篭よりも幅を小さくすることが必要であるから、あえて基本フトン篭より大きくなるよう設計する必要はない。
【００２３】
また、本体篭１０と調整網２０の短辺方向の寸法比率も限定されないが、好ましくは、１：１の割合に設計する。これにより、実施形態に係るフトン篭の短辺方向寸法は、最小で本体篭１０の短辺方向寸法から、最大で基本フトン篭の短辺方向寸法まで自由に調整することが可能となるからである。
【００２４】
従って、かかる構成によれば、側網１５と幅網１２によって三辺に垂直壁をもつ基本フトン篭類似の本体篭１０の幅寸法を、調整網２０によって自由に調整することを可能とする一方で、調整網２０の長辺端縁に残余部分を生じさせない。この結果、幅調整用のフトン篭を施工区間の端末に配設することが可能となり、施工区間の端末に何らかの躯体がある場合でも一切の無駄な作業を要することなく、全体の幅調整を実現することが出来る。もちろん、従来の幅調整用フトン篭と同様に、基本フトン篭の間に挟み込む形で配設しても構わない。その場合の作用効果は従来のものと同じである。
【００２５】
すでに述べたように、フトン篭の敷設作業では、一旦配置したフトン篭の位置を変更するのは非常に煩わしいのであるが、本発明に係る幅調整用のフトン篭は施工区間の端部にも配設できるし、基本フトン篭の間にも配置できるため、フトン篭の配設変更を要しない。従来構造では、生産工場や保管場所から現場に搬入する際に、積み込み順にも特別の配慮を要した。施工区間の端末には配置できないからである。しかし、本発明に係る幅調整用のフトン篭は、どの部位にも基本フトン篭と同じように配設できるため、搬送作業もスムースに行うことが出来る。
【００２６】
なお、幅網１２／２２および仕切網１４／２４を、底網１１／２１に連結する手段は従来の幅調整用フトン篭と同じようにコイル（スパイラル材）を用いることが出来る。幅網１２／２２および仕切網１４／２４の短辺寸法と、底網１１／２１の短辺寸法が異なる場合は、コイルの他、適当な連結ブリッジ材を用いることが出来る。
【００２７】
底網１１／２１の大きさは必ずしも一致させる必要はない。河川に配設する場合は、下流側に本体篭１０を配置するため、調整網２０の底網２１を本体篭１０の底網１１の上に載せる必要があり、その場合には底網２１を底網１１と略同一面積または小さくする。
【００２８】
幅網１２／２２、仕切網１４／２４、側網１５の高さ寸法は略同一に揃えることが望ましい。また、本発明に係るフトン篭を端末に配置する場合は、調整網２０の端末側の長辺端縁に垂直壁（例えば金網部材；側網に相当する部材）を設ける。
【００２９】
本発明に係る幅調整用のフトン篭を施工区間の端部に配設する場合は、調整網２０を用いず、本体篭１０だけを設置しても良い。その場合は、外周の一端が解放されている本体篭１０の長手部分に側網を別途設けて固定する。施工区間が直線である場合は、どのようなケースでも一個の幅調整用フトン篭を利用するだけで幅調整を行うことが出来るが、施工区間の端末に本体篭１０だけを設置する場合は、必要に応じて多の場所にも本発明に係る幅調整用のフトン篭を設置して、必要な寸法調整を行っても良い。
【００３０】
河川の護岸に配設するときは、本体篭１０の底網１１の上に調整網２０の底網２１を重ねて連結する旨を説明したが、河川以外の施工場所ではこの関係が逆転していても構わない。
【図面の簡単な説明】
【００３１】
【図１】本発明に係る幅調整用のフトン篭を例示する図である。
【図２】従来の幅調整用のフトン篭を例示する図である。
【図３】従来の他の幅調整用のフトン篭を例示する図である。
【図４】幅調整用のフトン篭と基本フトン篭との設置例を側面から示す図である。
【符号の説明】
【００３２】
１０  本体篭
１１、２１  底網
１２、２２  幅網
１４、２４  仕切網
１５  側網
２０  調整網
【図１】
2005060991.tif 000003
【図２】
2005060991.tif 000004
【図３】
2005060991.tif 000005
【図４】
2005060991.tif 000006